(57)【要約】【課題】植物自体を鑑賞の主役としながら、傷み難く保持できる一輪挿し治具を提供する。【解決手段】一輪挿し治具１は、下端５３を花器８０内に配置した植物５０を一輪挿し状に保持するための治具であって、花器８０を構成する壁部８１に対し、壁部８１を跨ぐように固定できる掛止部１０と、掛止部１０から上方へ延設され、植物５０の長尺部５１に沿って延びる支柱部２０と、支柱部２０に延設されて、植物５０の上部５０を支持する支持部３０と、を備える。【選択図】図１
2016171933.tif 000002
【特許請求の範囲】
【請求項１】
下端を花器内に配置した植物を一輪挿し状に保持するための一輪挿し治具であって、
花器を構成する壁部に対し、前記壁部を跨ぐように固定できる掛止部と、
前記掛止部から上方へ延設され、植物の長尺部に沿って延びる支柱部と、
前記支柱部に延設されて、前記植物の上部を支持する支持部と、を備えることを特徴とする一輪挿し治具。
【請求項２】
前記支柱部の下端から、上方へ向けて曲成形された正Ｕ字部と、
前記正Ｕ字部の上端から、下方へ向けて曲成形された逆Ｕ字部と、が一連にされた蛇行形状部を有するとともに、
前記逆Ｕ字部が、前記掛止部として機能される請求項１に記載の一輪挿し治具。
【請求項３】
前記支持部は、前記植物を受容支持可能な凹部を備える請求項１又は２に記載の一輪挿し治具。
【請求項４】
前記支柱部は、前記掛止部と前記支持部とを結ぶ仮想線分から外側へ離れるように張り出した部位を有する請求項１乃至３のうちのいずれかに記載の一輪挿し治具。
【請求項５】
同材質から一体に形成されている請求項１乃至４のうちのいずれかに記載の一輪挿し治具。
【請求項６】
前記支持部の上端から前記掛止部の上端までの最短距離をＬＡとし、前記掛止部の上端から前記掛止部の下端までの最短距離をＬＢとした場合に、ＬＢ／ＬＡは０．１以上０．４以下である請求項１乃至５のうちのいずれかに記載の一輪挿し治具。
【請求項７】
前記支柱部の幅をＷとし、前記支持部の上端から前記掛止部の上端までの最短距離をＬＡとした場合に、Ｗ／ＬＡは０．０２以上０．０５以下である請求項１乃至６のうちのいずれかに記載の一輪挿し治具。
【請求項８】
前記支柱部の幅をＷとし、前記支柱部の厚さをＤとした場合に、Ｄ／Ｗは０．０８以上０．２２以下である請求項１乃至７のうちのいずれかに記載の一輪挿し治具。
【発明の詳細な説明】
【技術分野】
【０００１】
本発明は、一輪挿し治具に関する。更に詳しくは、本発明は、簡易な構造で、植物を一輪挿し状に保持するための一輪挿し治具に関する。
【背景技術】
【０００２】
花器に１本又はそれに準じた少数の植物を立てるように生けた状態は、一輪挿し言われ広く親しまれている。なかでも最も一般的な一輪挿し形態は、水を入れた長尺状の花器内に茎部を深く挿入し、花器の上端から花部のみ又は僅かに茎部が出た状態で生けた一輪挿しである。これに対し、下記特許文献１には、花ばかりでなく、茎部も同時に鑑賞可能に生けることができる花立具が開示されている。
【先行技術文献】
【特許文献】
【０００３】
【特許文献１】特開２００８−５４９６２
【発明の概要】
【発明が解決しようとする課題】
【０００４】
上述のように、水を入れた長尺状の花器に茎部を深く挿入した形態の一輪挿しでは、水と接触する茎部が長くなる。水と接する茎部が長くなると、水は汚れ易く、腐り易くなり、生けた植物が長持ちし難いという欠点があることが知られている。
また、茎部を花器に深く挿した一輪挿し形態では、茎部を鑑賞対象とすることができない。長い茎部を花とともに鑑賞対象にできる形態は、胡蝶蘭に代表されるような蘭類が知られている。このような長い茎部を積極的に鑑賞対象とした形態は、涼やかな印象やシャープな印象等を視覚的に演出でき、商業用のディスプレイ等として広く活用されている。しかしながら、蘭類は、生け花としての活用に向かず、鉢植えとして扱われているのが現状であり、また、蘭類だけでなく、より広範な植物種において一輪挿しを活用できることが望まれる。
【０００５】
一方、特許文献１は、穴４が設けられた薄板状のスタンド１と、係止用マグネット３によって任意位置に固定される挿通口８を有した花立具が開示されている。この花立具では、茎を、挿通口８に挿通し、更に、花差し用の穴４を通して、茎の下端を水差し５に生けるよう構成されている。
この構成は、花器に茎部を深く挿した一輪挿しに比べて、茎部が水と接する長さを短くでき、茎部も積極的に鑑賞できる点で優れている。
しかしながら、特許文献１の花立具では、植物は、穴４と挿通口８との２ヶ所で花立具と接触される。また、スタンド１は、茎が延びるのと同じ方向へ延設されるため、茎とスタンド１とは面接触を起こし易い形態となっている。これらはいずれも植物を傷める原因となる。このため、植物をより長持ちさせるという観点から、出来る限り接触個所は少なくでき、また、接触面積も出来る限り小さくできる一輪挿し治具が求められる。
【０００６】
加えて、前述のように、茎部と水との接触をできるだけ小さくすると、結果的に花器を小さくすることになる。そして、花器への給水もより頻繁に行う必要がある。しかしながら、特許文献１の花立具では、水差し５がスタンド１の裏側に隠れてしまい、水量チェックがし辛い構成となっている。このような観点から、水量のチェックがより容易な一輪挿し治具が求められる。
また、特許文献１の花立具は、植物に対して大きな背景となってしまい、その存在が際立ってしまう。即ち、植物自体を主役として鑑賞させるに至っていないのが現状である。このような観点から、植物自体に比べて、その存在が目立たない形態とすることができることが望ましい。
【０００７】
本発明は、上記従来の状況に鑑みてなされたものであり、植物自体を鑑賞の主役としながら、傷み難く保持できる一輪挿し治具を提供することを目的とする。
【課題を解決するための手段】
【０００８】
本発明は以下のとおりである。
本発明の一輪挿し治具は、下端を花器内に配置した植物を一輪挿し状に保持するための一輪挿し治具であって、
花器を構成する壁部に対し、前記壁部を跨ぐように固定できる掛止部と、
前記掛止部から上方へ延設され、植物の長尺部に沿って延びる支柱部と、
前記支柱部に延設されて、前記植物の上部を支持する支持部と、を備えることを要旨とする。
請求項２に記載の一輪挿し治具は、請求項１に記載の一輪挿し治具において、前記支柱部の下端から、上方へ向けて曲成形された正Ｕ字部と、
前記正Ｕ字部の上端から、下方へ向けて曲成形された逆Ｕ字部と、が一連にされた蛇行形状部を有するとともに、
前記逆Ｕ字部が、前記掛止部として機能されることを要旨とする。
請求項３に記載の一輪挿し治具は、請求項１又は２に記載の一輪挿し治具において、前記支持部は、前記植物を受容支持可能な凹部を備えることを要旨とする。
請求項４に記載の一輪挿し治具は、請求項１乃至３のうちのいずれかに記載の一輪挿し治具において、前記支柱部は、前記掛止部と前記支持部とを結ぶ仮想線分から外側へ離れるように張り出した部位を有することを要旨とする。
請求項５に記載の一輪挿し治具は、請求項１乃至４のうちのいずれかに記載の一輪挿し治具において、同材質から一体に形成されていることを要旨とする。
請求項６に記載の一輪挿し治具は、請求項１乃至５のうちのいずれかに記載の一輪挿し治具において、前記支持部の上端から前記掛止部の上端までの最短距離をＬＡとし、前記掛止部の上端から前記掛止部の下端までの最短距離をＬＢとした場合に、ＬＢ／ＬＡは０．１以上０．４以下であることを要旨とする。
請求項７に記載の一輪挿し治具は、請求項１乃至６のうちのいずれかに記載の一輪挿し治具において、前記支柱部の幅をＷとし、前記支持部の上端から前記掛止部の上端までの最短距離をＬＡとした場合に、Ｗ／ＬＡは０．０２以上０．０５以下であることを要旨とする。
請求項８に記載の一輪挿し治具は、請求項１乃至７のうちのいずれかに記載の一輪挿し治具において、前記支柱部の幅をＷとし、前記支柱部の厚さをＤとした場合に、Ｄ／Ｗは０．０８以上０．２２以下であることを要旨とする。
【発明の効果】
【０００９】
本発明の一輪挿し治具１によれば、植物５０自体を鑑賞の主役としながら、傷み難く保持できる。特に、本一輪挿し治具１は、掛止部１０を、花器８０を構成する壁部８１に対して壁部８１を跨ぐように掛け止めることができる。このため、花器８０を利用して一輪挿し治具１を自立させることができる。このため、植物５０自体を鑑賞の主役とすることができる。更に、掛止部１０を利用した一輪挿し治具１の自立によって、植物５０の下部との接触を行うことなく支持でき、植物５０の傷みを抑制できる。
【００１０】
更に、支柱部２０の下端から、上方へ向けて曲成形された正Ｕ字部１２１と、正Ｕ字部１２１の上端から、下方へ向けて曲成形された逆Ｕ字部１２２と、が一連にされた蛇行形状部１２を有して、このうちの逆Ｕ字部１２２を掛止部１０として機能させる場合には、支柱部２０から掛止部１０までを容易に一体に形成できる。更に、蛇行形状部１２を有することで、重心を一輪挿し治具１の下側へ位置させることができる。そのため、植物をより安定して保持できる。
更に、支持部３０が、植物５０を受容支持可能な凹部３１を備える場合には、植物５０（特に植物５０の長尺部５１）を凹部３１によって受容できる。このため、植物５０との接触を軽減しつつ、植物５０を確実に支持できる。
また、支柱部２０が、掛止部１０と支持部３０とを結ぶ仮想線分Ｌから外側へ離れるように張り出した部位２１（以下、単に「張出部」ともいう）を有する場合には、植物５０と離れた位置に支柱部２０が存在することになり、観賞の対象である植物をより際立たせることができる。加えて、図１に示すように、植物５０と接することとなる支持部３０は、張出部２１から内側へ向かって植物５０に近づくように形成されることとなる。そのため、植物５０の伸びる方向Ｄ１と、張出部２１から支持部３０にかけての部位が向かう方向Ｄ２とが、交差するように配置される。そのため、植物５０と支持部３０との接触面積を低減できる。
本一輪挿し治具１が同材質から一体に形成されている場合には、コストを低減して、簡易に製造できる。また、一体物であるために壊れ難く、扱い易い。
支持部３０の上端から掛止部１０の上端までの最短距離をＬＡとし、掛止部１０の上端から掛止部１０の下端までの最短距離をＬＢとした場合に、ＬＢ／ＬＡは０．１以上０．４以下である場合には、バランスがとりやすく、より安定的に植物を支持することができる。
支柱部２０の幅をＷとし、支持部３０の上端から掛止部１０の上端までの最短距離をＬＡとした場合に、Ｗ／ＬＡは０．０２以上０．０５以下である場合には、バランスがとりやすく、より安定的に植物を支持することができる。
支柱部２０の幅をＷとし、支柱部２０の厚さをＤとした場合に、Ｄ／Ｗは０．０８以上０．２２以下である場合にも、バランスがとりやすく、より安定的に植物を支持することができる。
【図面の簡単な説明】
【００１１】
【図１】本一輪挿し治具の一例（実施例１）であり、その利用形態を模式的に示す斜視図である。
【図２】（ａ）は本一輪挿し治具の一例（実施例１）の側面図であり、（ｂ）は本一輪挿し治具を方向Ｘから見た場合の平面図である。
【図３】本一輪挿し治具の他例（実施例２）の下部を示す部分側面図である。
【図４】本一輪挿し治具の他例（実施例３）の下部を示す部分側面図である。
【図５】本一輪挿し治具の他例（実施例４）の下部を示す部分側面図である。
【図６】本一輪挿し治具の他例（実施例５）の下部を示す部分側面図である。
【図７】本一輪挿し治具の他例（実施例６）の下部を示す部分側面図である。
【図８】本一輪挿し治具の他例（実施例７）を示す側面図である。
【図９】本一輪挿し治具の他例（実施例８）を示す側面図である。
【図１０】本一輪挿し治具の一例（実施例１）の支持部を示す斜視図である。
【図１１】本一輪挿し治具の他例の支持部を示す斜視図である。
【発明を実施するための形態】
【００１２】
以下、本発明を、図を参照しながら説明する。ここで示す事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要で、ある程度以上に本発明の構造的な詳細を示すことを意図してはおらず、図面と合わせた説明によって本発明の幾つかの形態が実際にどのように具現化されるかを当業者に明らかにするものである。
【００１３】
上記「一輪挿し治具（１）」は、下端５３を花器８０内に配置した植物５０を一輪挿し状に保持するための一輪挿し治具１であり、掛止部１０と、支柱部２０と、支持部３０とを備える。
【００１４】
前記「掛止部（１０）」は、花器８０を構成する壁部８１に対し、壁部８１を跨ぐように一輪挿し治具１を固定できる部位である。「跨ぐように」とは、壁部８１の外側及び内側の両方の側に一輪挿し治具１の一部が配置される状態をいう。例えば、壁部８１を挟持する形態、壁部８１に対して緩挿される形態、壁部８１に対して遊挿される形態等が含まれる。
掛止部１０は、壁部８１を跨ぐようにして、一輪挿し治具１を固定できればよく、その具体的な形状に限定されないが、例えば、図７に示す形態の掛止部１０が例示される。図７に示す形態の掛止部１０は、支柱部２０から下方へ延設され、下方に開口する逆Ｕ字部１２２を有する形態である。即ち、掛止部１０の全体の概形は音叉形状と言える。
【００１５】
これに対して、本発明の一輪挿し治具１では、支柱部２０の下端から、上方へ向けて曲成形された正Ｕ字部１２１と、正Ｕ字部１２１の上端から、下方へ向けて曲成形された逆Ｕ字部１２２と、が一連にされた蛇行形状部１２を有するとともに、逆Ｕ字部１２２が、掛止部１０として機能される形態とすることができる。この形態としては、図１−図６及び図８−図９に示す形態が挙げられる。
図７に示す音叉形状では、支柱部２０が掛止部１０の直上に配置されるのに対し、蛇行形状部１２では、掛止部１０と支柱部２０との位置をシフトさせることができる。即ち、掛止部１０の直上に支柱部２０が配置されない構造とすることができる。この構造によって、本一輪挿し治具１はバランスを取り易くできる。とりわけ、支柱部２０の重心を花器のより内側へ配置できる点で好ましい。特に後述する張出部２１を有する形態では、蛇行形状部１２を有する形態を採用することがバランスの観点から好ましい。
更に、蛇行形状部１２を形成することによって、一輪挿し治具１の下方重量を増すことができることも、バランスの観点において好ましい。
【００１６】
掛止部１０の材質は特に限定されず、金属、樹脂及び木材等のうちの１種又は２種以上を適宜利用できる。これらのなかでも金属が好ましい。更に、金属のなかでも抗菌及び防錆の観点、色の観点等からステンレスが好ましい。ステンレスは、水と接しても錆び難くそれ自体が再利用性に優れている。また、抗菌作用を有するために接している水が腐り難い。更に、その色が、通常、シルバーであることから、一輪挿し治具１の存在を目立たなくすることができる。また、特に高い抗菌の観点からは、銅を用いることもできる。
この掛止部１０の断面形状も限定されない。即ち、例えば、長方形状（板状、図１−図１１参照）、正方形状（角棒状）、円形状（丸棒状）等を採用できる。
【００１７】
掛止部１０の大きさは特に限定されず、支持する植物５０の形態によって適宜選択できるが、例えば、支持部３０の上端から掛止部１０の上端までの最短距離をＬＡ（ｍｍ、図２参照）とし、掛止部１０の上端から掛止部１０の下端までの最短距離をＬＢ（ｍｍ）とした場合に、ＬＢ／ＬＡは０．１以上０．４以下とすることができる。即ち、本発明の一輪挿し治具１は、それだけ支柱部２０を長く形成しても、シンプルな構造でバランスを取ることができる。更に、植物５０の立上りを隠すことなくディスプレイできる。即ち、植物５０を、その立上りから頂部５２（花部等）まであますことなくディスプレイできる。上述の比率ＬＢ／ＬＡは、更に、０．１５以上０．３５以下が好ましく、０．２以上０．３以下がより好ましい。
【００１８】
上記「支柱部（２０）」は、掛止部１０から上方へ延設され、植物５０の長尺部５１に沿って延びる部分である。この支柱部２０は、掛止部１０と支持部３０とを繋ぐ部分であるとともに、一輪挿し治具１全体のバランスを取る部分でもある。
【００１９】
支柱部２０は、掛止部１０と支持部３０とを結ぶ仮想線分Ｌから外側へ離れるように張り出した部位２１（張出部２１）を有することができる（図１−図２及び図８−図９参照）。張出部２１は、図１−２及び図８に例示されるように、外側に向かって凸状に湾曲された形態とすることができる。また、図９に例示されるように、外側に向かって凸状に屈曲された形態とすることができる。
【００２０】
このように、支柱部２０が張出部２１を有する場合には、植物５０が一輪挿し治具１と接触することをより確実に避け、植物５０への負担をより小さく抑えることができる。更に、張出部２１を有することで、植物５０と接する支持部３０を、張出部２１から内側へ向かって植物５０に近づくように形成できる。そのため、植物５０の伸びる方向Ｄ１と、張出部２１から支持部３０にかけての部位が向かう方向Ｄ２とを交差するように配置できる。そのため、植物５０と支持部３０との接触面積を低減できる。この観点においても、張出部２１を有することで、植物５０への負担をより小さく抑えること寄与できる。
更に、デザインの観点から、張出部２１を有することで、植物５０と支柱部２０との間隔を広くとることができ、主役としての植物を際立たせることができる。
【００２１】
また、支柱部２０は、１本のみを備えてもよいが、必要に応じて複数本を備えることができる。その場合は、１つの掛止部１０から分岐して複数本が林立された形態でもよいし、１つの掛止部１０から１つの支柱部２０が延設されて、１つの支柱部２０の途中から分岐して、先端側（支持部３０）が複数存在する形態であってもよい。
【００２２】
支柱部２０の材質は特に限定されず、金属、樹脂及び木材等のうちの１種又は２種以上を適宜利用できる。これらのなかでも金属が好ましい。更に、金属のなかでも抗菌及び防錆の観点、色の観点等からステンレスが好ましい。ステンレスは、水と接しても錆び難くそれ自体が再利用性に優れている。また、抗菌作用を有するために接している水が腐り難い。更に、その色が、通常、シルバーであることから、一輪挿し治具１の存在を目立たなくすることができる。また、特に高い抗菌の観点からは、銅を用いることもできる。
この支柱部２０の断面形状も限定されない。即ち、例えば、長方形状（板状、図１−図１１参照）、正方形状（角棒状）、円形状（丸棒状）等を採用できる。
また、支柱部２０の大きさは特に限定されず、支持する植物５０の形態によって適宜選択できる。
【００２３】
更に、一輪挿し治具１の存在を目立たなくして、植物５０の存在を際立たせるという観点から、支柱部２０の幅をＷ（ｍｍ）とし、支持部３０の上端から掛止部１０の上端までの最短距離をＬＡ（ｍｍ）とした場合に、Ｗ／ＬＡを０．０２以上０．０５以下とすることが好ましい。即ち、この比率は支柱部２０の幅を細く形成することで達せられる。本発明の一輪挿し治具１は、それだけ支柱部２０を細く形成でき、観賞の対象である植物をより際立たせることができる。上述の比率Ｗ／ＬＡは、更に、０．０２５以上０．０４５以下が好ましく、０．０３以上０．０４以下がより好ましい。
尚、支柱部２０のＷ（ｍｍ）が場所によって変化する場合には、いずれの場所においても上述の範囲に含まれる形態であることが好ましい。
【００２４】
また、同様に、一輪挿し治具１の存在を目立たなくして、植物５０の存在を際立たせるという観点から、支柱部２０の幅をＷ（ｍｍ）とし、支柱部の厚さをＤ（ｍｍ）とした場合に、Ｄ／Ｗは０．０８以上０．２２以下とすることが好ましい。即ち、この比率は支柱部２０の厚さを薄く形成することで達せられる。本発明の一輪挿し治具１は、それだけ支柱部２０を薄く形成でき、観賞の対象である植物をより際立たせることができる。上述の比率Ｗ／Ｄは、更に、０．１以上０．２以下が好ましく、０．１３以上０．１７以下がより好ましい。
尚、支柱部２０のＷ（ｍｍ）及び／又はＤ（ｍｍ）が場所によって変化する場合には、いずれの場所においても上述の範囲に含まれる形態であることが好ましい。
【００２５】
上記「支持部（３０）」は、支柱部２０に延設されて、植物５０の上部５２を支持する部位である。本発明の一輪挿し治具１では、この支持部３０でのみしか、植物５０と接しない形態とすることができる。即ち、この場合、植物５０と一輪挿し治具１とは１個所でのみしか接しないことになる。そのため、植物５０に対する負担をより効果的に低減して、植物をより長く飾ることができる。
この支持部３０は、植物５０の上部５２を支持できればよく、その形状は特に限定されない。例えば、支持部３０は、１本の支柱部２０に対して１つのみを備えてもよいが、必要に応じて１本の支柱部２０に対して２つ以上の支持部３０を備えることもできる。
【００２６】
また、支持部３０は、その先端に植物５０を受容支持可能な凹部３１を備えることができる。凹部３１は、植物５０の茎に対し、その内面が当接しやすいようにえぐられていることが好ましい（図１０参照）。このように受容支持可能な凹部３１を備える場合には、凹部３１を備えない場合に比べて、安定して長尺部５１を支えることができる。
また、支持部３０は、凹部３１の有無に関わらず、針部３２を備えることができる（図１１参照）。針部３２は、植物５０に直接刺して利用できる。このように針部３２を刺しても植物への負担は、接触個所が多い場合に比べて低減できる。
【００２７】
支持部３０の材質は特に限定されず、金属、樹脂及び木材等のうちの１種又は２種以上を適宜利用できる。これらのなかでも金属が好ましい。更に、金属のなかでも抗菌及び防錆の観点、色の観点等からステンレスが好ましい。ステンレスは、水と接しても錆び難くそれ自体が再利用性に優れている。また、抗菌作用を有するために接している水が腐り難い。更に、その色が、通常、シルバーであることから、一輪挿し治具１の存在を目立たなくすることができる。また、特に高い抗菌の観点からは、銅を用いることもできる。
この支持部３０の断面形状も限定されない。即ち、例えば、長方形状（板状、図１−図１１参照）、正方形状（角棒状）、円形状（丸棒状）等を採用できる。
また、支持部３０の大きさは特に限定されず、支持する植物５０の形態によって適宜選択できる。
【００２８】
これまでに説明した、本一輪挿し治具１を構成する、掛止部１０、支柱部２０、支持部３０は、各々別体に形成されてもよいが、同材質から一体に形成されていることが好ましい。この場合には、構造が簡易であり、作成がし易くコストを低減できる。これらの一体的に形成する場合には、その材料は、金属が好ましく、更には、ステンレスがより好ましい。
更に、断面形状は、掛止部１０、支柱部２０、支持部３０のいずれの個所においても、長方形状（板状、図１−図１１参照）が好ましい。即ち、１枚の帯状板のみから形成できる形態であることが好ましい。
【００２９】
上記「花器（８０）」は、植物５０に給水するための水を貯留するものである。この花器８０は、本一輪挿し治具１の掛止部１０を跨ぐように固定できる壁部８１を備えていればよく、その他の形態については特に限定はされない。また、壁部８１の高さは限定されず、掛止部１０が掛け止めできる高さがあればよい。また、植物の大きさによって適宜選択すればよいが、例えば、長さ５０ｃｍ程の植物を飾る場合、花器８０の壁部８１の高さは、１ｃｍ以上１５ｃｍ以下とすることができ、更に２ｃｍ以上１０ｃｍ以下とすることができ、特に３ｃｍ以上７ｃｍ以下とすることができる。
尚、壁部８１の高さに関わらず、給水に際しては、植物５０の下端５３が花器８０の水９０に浸漬されていれば十分で、浸漬部分が多いと茎部が腐敗する原因となるため、水量が少ないことが好ましい。
少ない水量を維持するためには、給水回数が多くなる。従って、花器の内部の水量のチェックがし易いことが好ましい。そのため、花器の開口部は広く、壁部の高さは低いことが好ましい。或いは、花器を透明体からなるものとして、水量のチェックをし易くしてもよい。
【００３０】
上記「植物（５０）」は、植物に属する総称であり特に限定はない。本発明の一輪挿し治具１を用いて飾ることが相応しい植物としては、例えば、長い茎部を有する花類、長い茎部を有する葉類、枝もの等が挙げられる。このうち、花類としては、バラ、ユリ、チューリップ、キク、ヒマワリ、ガーベラ、マーガレット、ダリア、グラジオラス、ハナショウブ、アイリス、フリージア、サンダーソニア等が挙げられる。また、葉類としては、各種の観葉植物が挙げられる。具体的には、リュウゼツラン科の植物の葉（オリズルラン、ニューサイラン等の長葉類）、ヤツデ、モンステラ（特に小葉のモンステラ）、カラジュウム、ヤシ科（フェニックス、テーブルヤシなど）等が挙げられる。また、枝ものとしては、桜、梅、カエデ、枝状のシダ類（リュウビンタイ等）、ドラセナ、フィカス等が例示される。これらは１種のみを用いてもよく２種以上を併用してもよい。
【実施例】
【００３１】
以下では、本発明を実施例によってより具体的に説明する。尚、各実施例に共通する説明は省略する。
［１］実施例１（図１−図２、図１０参照）
実施例１の一輪挿し治具１は、図１及び図２に示すように、ステンレス製の厚さＤが１．２ｍｍ、幅Ｗが８ｍｍ、長さ５００ｍｍの帯板材を折り曲げ加工して作成した。
詳細には、掛止部１０は、帯板材の下側を、上方へ向けて曲成形した正Ｕ字部１２１と、正Ｕ字部１２１の上端から下方へ向けて曲成形した逆Ｕ字部１２２と、が一連にされた蛇行形状部１２を有する。このうち、逆Ｕ字部１２２は掛止部１０として機能される。
掛止部１０の上端から下端までの距離ＬＢは５７ｍｍであり、上方に開口する正Ｕ字部１２１の内幅は８ｍｍ、逆Ｕ字部１２２の内幅は５ｍｍである。
一方、支柱部２０は、帯板材の上側を、曲率半径１７４ｍｍで凸状に湾曲加工して緩やかな凸状部２２を形成し、更に、外側に曲率半径４３ｍｍで凹状に大きく湾曲加工して張出部２１を形成するとともに、その先端を支持部３０として、図２に示す一輪挿し治具１を作成した。
また、逆Ｕ字部１２２の下端には、次第に幅狭に形成されている長さ２４ｍｍの後端部１１を備える。次第に幅狭に形成されていることによって花器の壁部に装着し易くされている。
支柱部２０は、掛止部１０から上方へ延設され、その長さＬＡは２２９ｍｍである。
支持部３０は、支柱部２０に延設され、凹部３１が曲率半径３ｍｍで円弧状に凹設形成されている。
以上の構成から、ＬＢ／ＬＡは０．２５、Ｗ／ＬＡは０．０３５、Ｄ／Ｗは０．１５とされている。
【００３２】
この構成の一輪挿し治具１によれば、図１に示すように、掛止部１０を、花器８０に対して、その壁部８１跨ぐように掛けて一輪挿し治具１を自立させて固定できる。特に、実施例１では、支柱部２０の下端から上方へ向けて曲成形された正Ｕ字部１２１と、正Ｕ字部１２１の上端から下方へ向けて曲成形された逆Ｕ字部１２２と、が一連にされた蛇行形状部１２を有しており、このうち、逆Ｕ字部１２２が掛止部１０として機能される構成となっている。そして、下端５３を花器８０内に配置した植物（花類）の花部の直下の茎部に支持部３０の凹部３１を当接させて、植物５０を一輪挿し状に安定して保持することができる。
【００３３】
更に、この形態では、植物５０と一輪挿し治具１との接触個所は凹部３１の１個所のみであり、他の個所での接触がない。このため、植物への負担が極めて少なく、植物を生き生きとした状態で長く鑑賞できる。
また、実施例１の一輪挿し治具１は、その支柱部２０が、掛止部１０と支持部３０とを結ぶ仮想線分Ｌから外側へ離れるように張り出した張出部２１を有する。このため、支柱部２０が植物５０の茎５１（長尺部）から一部が遠ざかるように形成されており、植物５０の鑑賞において一輪挿し治具１が邪魔をすることがなく、茎５１の存在を際立たせて、長い茎部分を強調してディスプレイできる。
更に、支持部３０は、張出部２１から内側へ向かって植物５０に近づくように形成されている。そのため、植物５０の伸びる方向Ｄ１と、張出部２１から支持部３０にかけての部位が向かう方向Ｄ２とが、交差するように配置され、植物５０と支持部３０との接触面積を低減している。また、植物５０の鑑賞においても、支持部３０が邪魔することがなく、植物５０の存在を際立たせてディスプレイできる。
加えて、曲線形状が多用されて形成されており、形状及び材質の両方の側面から弾力的性質を発揮させることができるようになっている。そのため、災害時等の転倒や落下の際に、一輪挿し治具１自体の破損を防止でき、また、人に当たった際等にもけがを防止できる。即ち、安全に使用することができる。
【００３４】
［２］実施例２（図３参照）
実施例２の一輪挿し治具１ａは、図３に示すように、掛止部１０の逆Ｕ字部１２２の先端（後端部１１）が外側に反って形成されている。その他の構成については、一輪挿し治具１と同様である。
この構成によって、逆Ｕ字部１２２を壁部８１に掛ける際に、よりスムーズに装着することができる。また、後端部１１の反り具合の調整によって、一輪挿し治具１全体の傾き（壁部８１に対する傾き）をコントロールすることもできる。
【００３５】
［３］実施例３（図４参照）
実施例３の一輪挿し治具１ｂは、実施例１の一輪挿し治具１に対して、重石４０を挿着した形態を示している。即ち、上方に開口した正Ｕ字部１２１内に重石４０を挿着している。
この構成によれば、一輪挿し治具１ｂの重心をより下方へ且つ花器８０の内側へ寄せることができる。従って、重心が下方且つ中心寄りになり、植物５０をより安定して保持することができるようになる。
【００３６】
［４］実施例４（図５参照）
実施例４の一輪挿し治具１ｃは、支柱部２０の下端から上方へ向けて曲成形された正Ｕ字部１２１ａと、正Ｕ字部１２１ａの上端から下方へ向けて曲成形された逆Ｕ字部１２２と、逆Ｕ字部１２２の下端から更に上方へ向けて曲成形された正Ｕ字部１２１ｂと、が一連にされた蛇行形状部１２を有している。そして、このうち、逆Ｕ字部１２２が掛止部１０として機能される構成となっている。更に、最も花器８０から離れて位置された正Ｕ字部１２１ｂに重石４０が挿着されている。
この構成によれば、一輪挿し治具１ｃの重心をより下方へ且つ花器８０の外側へ寄せることができる。従って、重心が下方且つ外寄りにすることができる。
【００３７】
［５］実施例５（図６参照）
実施例５の一輪挿し治具１ｄは、支柱部２０の下端から上方へ向けて曲成形された正Ｕ字部１２１ａと、正Ｕ字部１２１ａの上端から下方へ向けて曲成形された逆Ｕ字部１２２と、逆Ｕ字部１２２の下端から更に上方へ向けて曲成形された正Ｕ字部１２１ｂと、正Ｕ字部１２１ｂの上端から更に下方へ向けて曲成形された逆Ｕ字部１２２ｂと、が一連にされた蛇行形状部１２を有している。そして、このうち、逆Ｕ字部１２２ａ及び逆Ｕ字部１２２ｂのいずれかを、必要に応じて掛止部１０（１０１又は１０２）として機能させることができる構成となっている。
この構成によれば、支持する植物の形態を考慮して、必要に応じて逆Ｕ字部１２２ａ及び逆Ｕ字部１２２ｂのいずれかを掛止部１０として実利用することができる。
【００３８】
［６］実施例６（図７参照）
実施例６の一輪挿し治具１ｅは、支柱部２０から下方へ延設され、下方に開口する逆Ｕ字部１２２を有する。この構成では、装着する壁部８１の直上に支柱部２０を配置することができる。
【００３９】
［７］実施例７（図８参照）
実施例７の一輪挿し治具１ｆは、支柱部２０が外側に向かって緩やかに凸状に湾曲し、次いで連続して内側に向かって緩やかに凹状に湾曲し、更に連続して外側に向かって緩やかに凸状に湾曲した形状である。その他の構成については、一輪挿し治具１と同様である。即ち、一輪挿し治具１ｆは、上下に張出部２１を２個所有する。このように、必要に応じて張出部２１を配置することもできる。
【００４０】
［８］実施例８（図９参照）
実施例８の一輪挿し治具１ｇは、支柱部２０が直線的に形成された形態である。この形態では、支柱部２０は、掛止部１０と支持部３０とを結ぶ仮想線分Ｌから外側へ離れるように張り出した張出部２１を有し、外側に向かって凸状に屈曲された形態となっている。張出部２１の内角は鋭角とされている。この張出部２１までの支柱部２０は直線的に形成され、更に、張出部２１から支持部３０へ向かうラインも略水平に直線的に形成されている。
この様な形態により、他の実施例とは異なり、植物５０の鑑賞を邪魔することなく、しかし、よりシャープな視覚的な印象を与えることができる。
【００４１】
尚、本発明においては、上記の具体的実施例に示すものに限られず、目的、用途に応じて本発明の範囲内で種々変更した実施例とすることができる。
【産業上の利用可能性】
【００４２】
本発明の一輪挿し治具は、各種植物のディスプレイ用途において広く利用される。具体的には、店舗用のディスレイ（各種の店舗ディスプレイ、モデルルームインテリア装飾、美容院等の店内用ディスプレイ）、スタジオ用のディスプレイ（テレビ放送スタジオ、写真撮影スタジオ等）、家庭用の花器等が例示される。
【符号の説明】
【００４３】
１、１ａ、１ｂ、１ｃ、１ｄ、１ｅ、１ｆ、１ｇ；一輪挿し治具、
１０；掛止部、１１；後端部、１２；蛇行形状部、１２１；正Ｕ字部、１２２；逆Ｕ字部、
２０；支柱部、２１；張出部（張り出した部位）、２２；凸状部、
３０；支持部、３１；凹部、
５０；植物、５１；長尺部（茎部）、５２；上部（頂部）、５３；下端（植物の下端）、
８０；花器、８１；壁部、
９０；水。
【図１】
2016171933.tif 000003
【図２】
2016171933.tif 000004
【図３】
2016171933.tif 000005
【図４】
2016171933.tif 000006
【図５】
2016171933.tif 000007
【図６】
2016171933.tif 000008
【図７】
2016171933.tif 000009
【図８】
2016171933.tif 000010
【図９】
2016171933.tif 000011
【図１０】
2016171933.tif 000012
【図１１】
2016171933.tif 000013